(57)【特許請求の範囲】
【請求項１】
一方向に直交する他方向に分割可能に構成される外シートと、該外シートと同方向に分離可能な一対のシート片から構成される内シートとを備え、シート状食品を介して外シートと内シートとが重ね合わされた状態で、シート状食品を囲むように外シートと内シートとがシールされて形成されており、
三角形状の米飯加工食品が内側になるように内シートを内側にして前記他方向に沿って二つに折り曲げられると共に米飯加工食品と重なり合わない領域が米飯加工食品に沿って折り曲げられることで米飯加工食品を包装可能に構成される米飯加工食品用包装材において、
前記内シートは、他方向における両端間の領域に、一方のシート片の端部とシート状食品との間に他方のシート片の端部が配置されることで一対のシート片の端部同士が重なり合って形成されると共に前記一方向に延びる重合領域と、一方のシート片の端部を覆うように配置されると共に前記一方向に延びる被覆片と、該被覆片と他方のシート片とが前記重合領域の外側の位置で接合されることで形成されると共に前記一方向に延びるように一つのみ形成される接合部とを備えており、
前記外シートは、外シート本体と、前記一方向が長手となるように配置された少なくとも一つのカットテープとを備えており、
前記外シート本体は、前記一方向の一端部に該一方向に延びるように形成された一対の切込部を備えることで該一対の切込部間に摘み部が形成されており、
該カットテープは、少なくとも一部が前記重合領域と重なるように配置されており、
米飯加工食品用包装材で米飯加工食品を包装した状態で、内シートにおける重合領域及び被覆片を備える部分が米飯加工食品に密着するように構成されることを特徴とする米飯加工食品用包装材。
【請求項２】
接合部は、前記他方向における被覆片の両端部から離れた位置に形成されることを特徴とする請求項１に記載の米飯加工食品用包装材。
【請求項３】
カットテープを二つ備えており、
各カットテープの少なくとも一部が前記重合領域と重なるように配置されることを特徴とする請求項１又は２に記載の米飯加工食品用包装材。
【発明の詳細な説明】
【技術分野】
【０００１】
本発明は、例えばシート状の海苔などのシート状食品と、三角おにぎりなどの米飯加工食品とを分離した状態で包装可能に構成されると共に、食する際には、分離した状態で包装されている両者を合体して食せるよう構成される米飯加工食品用包装材に関する。
【背景技術】
【０００２】
コンビニエンスストア等で販売されているおにぎりは、外シートと内シートとの間にシート状の海苔を収納した包装材によって包装されている。具体的には、斯かる包装材として、一方向に分割可能に構成される外シートと、外シートと同方向に分割可能に構成される内シートとを備え、シート状の海苔を介して外シートと内シートとが重ね合わされた状態で海苔を囲むように外フィルムと内フィルムとがシールされて形成されたものが知られている（特許文献１，２参照）。
【０００３】
前記外シートは、おにぎりを包み込むことができる大きさの略長方形状に形成された外シート本体と、該外シート本体の中央部に長手方向に延びるように配置されたカットテープとを備えている。また、外シートは、外シート本体の長手方向の一端部に長手方向に延びる一対の切り込み（以下、切込部とも記す）を備え、該一対の切込部の各一端部が外シートの端縁と接するように形成されている。これにより、一対の切込部の間の領域が他の領域から分離されるため、一対の切込部の間に指などで摘むことが可能な摘み部が形成される。一方、カットテープは、一対の切込部の間に一端部が位置するように構成される。つまり、カットテープの一端部は、摘み部の内側に位置する。
【０００４】
前記内シートは、外シートと略同一形状となるように形成されている。また、内シートは、幅方向に分離可能な一対のシート片から構成されている。該一対のシート片は、内シートの幅方向における中央側に位置する端部（以下、内側端部とも記す）同士が外シートのカットテープと重なる位置で一方向に沿って重なるように構成されている。そして、一対のシート片が内シートの幅方向で分離することで内シートが分割される。
【０００５】
斯かる包装材を用いておにぎりを包装する際には、おにぎりと海苔との間に内シートが介在するようにおにぎりを包装する。これにより、おにぎりと海苔とが直に接することがないため、おにぎりからの湿気によって海苔が湿気ってしまうのが抑制される。
【０００６】
また、斯かる包装材を用いて包装されたおにぎりを食する際には、摘み部を摘んで外シートの長手方向に沿って引っ張ることで、一対の切込部の各他端部を起点に、外シートがカットテープに沿って切断される。これにより、一対の切込部の各他端部を起点として長手方向に延びる一対の切断線間の領域が他の領域から分離され、外シートが幅方向に分割される。そして、２つに分割された外シートを幅方向に離間させるように内シートと共に引っ張ることで、内シートを構成する一対のシート片が分離して内シートが分割されると共に海苔とおにぎりとの間から引き抜かれる。これにより、海苔とおにぎりとが一体となった状態でおにぎりを食することが可能となる。
【先行技術文献】
【特許文献】
【０００７】
【特許文献１】特開２０１０−２１５２９２号公報
【特許文献２】特開２００７−２５２３１６号公報
【発明の概要】
【発明が解決しようとする課題】
【０００８】
しかしながら、上記のような包装材を用いておにぎりを包装した際には、一対のシート片の内側端部同士が重なる領域では、おにぎりの湿気が一対のシート片の内側端部同士の間を通って外シートと内シートとの間の空間（即ち、海苔を収容した空間）に侵入するため、海苔が湿気ってしまう虞がある。
【０００９】
そこで、本発明は、外シートと内シートとの間に収容されたシート状食品が湿気ってしまうのを抑制することができる米飯加工食品用包装材を提供することを課題とする。
【課題を解決するための手段】
【００１０】
本発明に係る米飯加工食品用包装材は、一方向に直交する他方向に分割可能に構成される外シートと、該外シートと同方向に分離可能な一対のシート片から構成される内シートとを備え、シート状食品を介して外シートと内シートとが重ね合わされた状態で、シート状食品を囲むように外シートと内シートとがシールされて形成されており、三角形状の米飯加工食品が内側になるように内シートを内側にして前記他方向に沿って二つに折り曲げられると共に米飯加工食品と重なり合わない領域が米飯加工食品に沿って折り曲げられることで米飯加工食品を包装可能に構成される米飯加工食品用包装材において、前記内シートは、他方向における両端間の領域に、一方のシート片の端部とシート状食品との間に他方のシート片の端部が配置されることで一対のシート片の端部同士が重なり合って形成されると共に前記一方向に延びる重合領域と、一方のシート片の端部を覆うように配置されると共に前記一方向に延びる被覆片と、該被覆片と他方のシート片とが前記重合領域の外側の位置で接合されることで形成されると共に前記一方向に延びるように一つのみ形成される接合部とを備えており、前記外シートは、外シート本体と、前記一方向が長手となるように配置された少なくとも一つのカットテープとを備えており、前記外シート本体は、前記一方向の一端部に該一方向に延びるように形成された一対の切込部を備えることで該一対の切込部間に摘み部が形成されており、該カットテープは、少なくとも一部が前記重合領域と重なるように配置されており、米飯加工食品用包装材で米飯加工食品を包装した状態で、内シートにおける重合領域及び被覆片を備える部分が米飯加工食品に密着するように構成されることを特徴とする。
【００１１】
斯かる構成によれば、重合領域を構成する一対のシート片の端部の間に水分が侵入しにくくなるため、米飯加工食品を包装した際に、米飯加工食品の湿気が内シートと外シートとの間の空間（以下、シート状食品の収容空間とも記す）へ侵入するのを抑制することができる。
【００１２】
具体的には、重合領域では、一対のシート片の端部（以下、内側端部とも記す）同士が重なり合っているため、本発明に係る米飯加工食品用包装材を用いて米飯加工食品を包装した際に、内シートの一方の面に接する空間（米飯加工食品側の空間）と他方の面に接する空間（シート状食品の収容空間）とが内側端部同士の間に形成される隙間を介して連通した状態となり易い。斯かる状態では、米飯加工食品の湿気が内側端部同士の間を通ってシート状食品の収容空間へ侵入し易くなる。特に、一方向における内シートの両端部よりも中央側の領域では、このような湿気の侵入が生じやすい。
【００１３】
これに対し、本願発明のように被覆片によって一方のシート片の端部が覆われることで、重合領域を構成する一対のシート片の内側端部同士の間に水分が侵入し難くなる。これにより、シート状食品の収容空間へ重合領域から湿気が侵入するのを抑制することができるため、シート状食品が湿気ってしまうのを抑制することができる。
【発明の効果】
【００１４】
以上のように、本発明によれば、外シートと内シートとの間に収容されたシート状食品が湿気ってしまうのを抑制することができる。
【図面の簡単な説明】
【００１５】
【図１】本実施形態に係る米飯加工食品用包装材の各構成を示した斜視図。
【図２】同実施形態に係る米飯加工食品用包装材の内シートを示した斜視図。
【発明を実施するための形態】
【００１６】
以下に、本発明に係る米飯加工食品用包装材の実施形態について、図１，２に基づいて説明する。以下では、「米飯加工食品用包装材」を単に「包装材」と称することがある。また、以下の説明における一方向（第一方向）は、各図における座標軸のｘ軸に沿った方向であり、他方向（第二方向）は、各図における座標軸のｙ軸に沿った方向である。
【００１７】
本実施形態に係る包装材１は、図１に示すように、米飯加工食品Ａと接する内シート２と、該内シート２に重ね合わされる外シート３とを備える。そして、内シート２および外シート３は、米飯加工食品Ａに巻くシート状食品Ｂを介して重ね合された状態で、シート状食品Ｂを囲むように端部同士がシールされる。これにより、包装材１は、米飯加工食品Ａとシート状食品Ｂとを分離した状態で、米飯加工食品Ａを包装することが可能となる。なお、米飯加工食品Ａには、三角形状や樽形状などに握られた各種おにぎりの他、鮨なども含まれる。また、シート状食品Ｂには、シート状の海苔の他、畳鰯なども含まれる。
【００１８】
外シート３は、米飯加工食品Ａを包み込むことが可能な大きさの外シート本体３ａと、該外シート本体３ａに積層される一対のカットテープ３ｂ，３ｂとから構成される。外シート本体３ａは、一方向（以下、第一方向とも記す）が長手となるように（本実施形態では、長方形状に）形成され、該第一方向に直交する他方向（以下、第二方向とも記す）が幅方向となっている。一方、カットテープ３ｂは、第二方向における外シート本体３ａの中央部に第一方向に沿って配置される。
【００１９】
また、外シート３は、第一方向における外シート本体３ａの一端部に第一方向に延びるように形成された一対の切込部３ｃ，３ｃを備える。一対の切込部３ｃ，３ｃは、第二方向に間隔を空けて形成され、一対のカットテープ３ｂ，３ｂの各一端部が一対の切込部３ｃ，３ｃの間に位置するように構成される。また、一対の切込部３ｃ，３ｃは、それぞれの一端部が外シート本体３ａの端縁と接するように形成される。これにより、外シート３における一対の切込部３ｃ，３ｃの間の領域が他の領域から分離される。これにより、一対の切込部３ｃ，３ｃの間の領域に指などで摘むことができる摘み部３ｄが形成される。
【００２０】
そして、摘み部３ｄを摘んで第一方向に沿って引っ張ることで、一対の切込部３ｃ、３ｃの各他端部を起点に外シート３を第一方向に沿って切断することが可能となる。そして、外シート３が切断されることで、一対の切込部３ｃ，３ｃの各他端部を起点とする一対の切断線間の帯状の領域が他の領域から分離されるため、外シート３が第二方向に分割可能となる。
【００２１】
内シート２は、外シート３と略同一形状（具体的には、第一方向が長手となる長方形状）に形成される。また、内シート２は、外シート３と同方向、即ち、第二方向に分割可能に構成される。具体的には、内シート２は、第二方向に分離可能に構成された一対のシート片２ａ，２ｂから構成されており、該一対のシート片２ａ，２ｂが分離することで分割される。
【００２２】
一方のシート片（以下では、第一シート片とも記す）２ａは、図２に示すように、第一方向が長手となる長方形状に形成される。また、第一シート片２ａは、第二方向における一端部（以下、内側端部とも記す）２ａ１が第二方向における内シート２の中央側に位置し、第二方向における他端部２ａ２が第二方向における内シート２の一端部２１を構成する。
【００２３】
他方のシート片（以下では、第二シート片とも記す）２ｂは、第一方向が長手となる長方形状に形成される。また、第二シート片２ｂは、第二方向における一端部（以下、内側端部とも記す）２ｂ１が第二方向における内シート２の中央側に位置し、第二方向における他端部２ｂ２が第二方向における内シート２の他端部２２を構成する。
【００２４】
また、内シート２は、第二方向における両端部２１，２２間の領域に、一対のシート片２ａ，２ｂの内側端部２ａ１，２ｂ１同士が重なり合って形成された重合領域２ｃを備える。該重合領域２ｃは、第二方向における内シート２の中央部において第一方向に延びるように（具体的には、帯状に）形成される。また、重合領域２ｃは、第一方向における内シート２の両端間の全域にわたって形成される。また、重合領域２ｃでは、第一シート片２ａの内側端部２ａ１よりも第二シート片２ｂの内側端部２ｂ１の方がシート状食品側に位置するように構成される。つまり、内シート２は、第一シート片２ａの内側端部２ａ１とシート状食品との間に第二シート片２ｂの内側端部２ｂ１が配置されるように構成される。
【００２５】
また、内シート２は、第一シート片２ａの内側端部２ａ１を覆うように配置される被覆片２ｄを更に備える。該被覆片２ｄは、内シート２における一方の面側（包装材１で米飯加工食品Ａを包装する際に、米飯加工食品Ａ側となる面側）に配置される。また、被覆片２ｄは、帯状に形成されており、第一方向に沿って（換言すれば、帯状の重合領域２ｃに沿って）配置される。また、被覆片２ｄは、第一方向における内シート２の両端間の全域にわたって配置される。つまり、被覆片２ｄは、第一方向の全域にわたって第一シート片２ａの内側端部２ａ１を覆うように配置される。
【００２６】
また、被覆片２ｄは、重合領域２ｃの外側の位置で第二シート片２ｂに接合される。即ち、内シート２は、被覆片２ｄと第二シート片２ｂとが接合されて形成された接合部２ｅを備える。被覆片２ｄと第二シート片２ｂとを接合する方法としては、特に限定されるものではなく、ヒートシールや粘着テープ等を用いることができる。
【００２７】
接合部２ｅは、内シート２の第一方向に沿って（詳しくは、第一方向の全域にわたって帯状に）形成される。接合部２ｅは、第二方向における被覆片２ｄの一端部２ｄ１よりも他端部２ｄ２側（具体的には、第二方向における被覆片２ｄの中央部よりも他端部２ｄ２側）の位置に形成される。これにより、被覆片２ｄは、第二方向における接合部２ｅよりも一端部２ｄ１側の領域（以下、接離領域とも記す）２ｄ３が第二シート片２ｂ（具体的には、内側端部２ｂ１）に対して相対的に接離可能となる。
【００２８】
そして、被覆片２ｄの接離領域２ｄ３と第二シート片２ｂの内側端部２ｂ１との間に第一シート片２ａの内側端部２ａ１が配置される。つまり、内シート２は、第二方向における両端部２１，２２よりも内側（具体的には、第二方向における中央部）に、第一シート片２ａの内側端部２ａ１と第二シート片２ｂの内側端部２ｂ１と被覆片２ｄの接離領域２ｄ３とが重なり合うように構成される。
【００２９】
以上のように、本発明に係る米飯加工食品用包装材は、外シートと内シートとの間に収容されたシート状食品が湿気ってしまうのを抑制することができる。
【００３０】
即ち、重合領域２ｃを構成する一対のシート片２ａ，２ｂの内側端部２ａ１，２ｂ１の間に水分が侵入しにくくなるため、米飯加工食品Ａを包装した際に、米飯加工食品Ａの湿気が内シート２と外シート３との間の空間（以下、シート状食品Ｂの収容空間とも記す）へ侵入するのを抑制することができる。
具体的には、被覆片２ｄによって第一シート片２ａの内側端部２ａ１が覆われることで、重合領域２ｃを構成する一対のシート片２ａ，２ｂの内側端部２ａ１，２ｂ１同士の間に水分が侵入し難くなる。これにより、シート状食品Ｂの収容空間へ重合領域２ｃから湿気が侵入するのを抑制することができるため、シート状食品Ｂが湿気ってしまうのを抑制することができる。
【００３１】
なお、本発明に係る包装材１は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００３２】
例えば、上記実施形態では、被覆片２ｄは、内シート２の第一方向の全域にわたって連続的に配置されるように構成されているが、これに限定されるものではなく、例えば、第一方向における内シート２の両端間に複数の被覆片２ｄが間隔を空けて配置されてもよい。また、第一方向における内シート２の両端間の任意の位置にのみ被覆片２ｄが配置されるように構成されてもよい。
【符号の説明】
【００３３】
１…包装材、２…内シート、２ａ…第一シート片、２ａ１，２ｂ１…内側端部、２ｂ…第二シート片、２ｃ…重合領域、２ｄ…被覆片、２ｄ３…接離領域、２ｅ…接合部、３…外シート、３ａ…外シート本体、３ｂ…カットテープ、３ｃ…切込部、３ｄ…摘み部、Ａ…米飯加工食品、Ｂ…シート状食品
【図１】
0006681147.tif 000002
【図２】
0006681147.tif 000003